(57)【要約】【課題】接合材による燃料電池セルとセパレータとの接続を安定させる。【解決手段】セルスタック装置は、燃料電池セルと、第１セパレータと、第１接合材と、を備えている。燃料電池セルは、固体電解質及び、固体電解質の一方面に設けられた空気極を含む。第１セパレータ２は、空気極１３に向けて突出する突出部２３ａを含む。第１接合材４ａは、空気極１３及び第１突出部２３ａを接合する。外周部に位置する第１接合材４ａ１の厚さは、中央部に位置する第１接合材４ａ２の厚さよりも大きい。【選択図】図３
2019212507.tif 000002
【特許請求の範囲】
【請求項１】
固体電解質、及び、前記固体電解質の一方面に設けられた空気極を含む燃料電池セルと、
前記空気極に向けて突出する複数の第１突出部を含む第１セパレータと、
前記空気極及び前記複数の第１突出部を接合する導電性の第１接合材と、
を備え、
外周部に位置する前記第１接合材の厚さは、中央部に位置する前記第１接合材の厚さよりも大きい、
セルスタック装置。
【請求項２】
前記燃料電池セルは、前記固体電解質の他方面に設けられた燃料極をさらに含み、
前記燃料極に向けて突出する複数の第２突出部を含む第２セパレータと、
前記燃料極及び前記複数の第２突出部を接合する導電性の第２接合材と、
をさらに備え、
中央部に位置する前記第２接合材の厚さは、外周部に位置する前記第２接合材の厚さよりも大きい、請求項１に記載のセルスタック装置。
【請求項３】
前記第１及び第２接合材の少なくとも一方は、導電性セラミックスによって構成される、
請求項２に記載のセルスタック装置。
【請求項４】
固体電解質、及び、前記固体電解質の他方面に設けられた燃料極を含む燃料電池セルと、
前記燃料極に向けて突出する複数の第２突出部を含む第２セパレータと、
前記燃料極及び前記複数の第２突出部を接合する導電性の第２接合材と、
を備え、
中央部に位置する前記第２接合材の厚さは、外周部に位置する前記第２接合材の厚さよりも大きい、
セルスタック装置。
【発明の詳細な説明】
【技術分野】
【０００１】
本発明は、セルスタック装置に関するものである。
【背景技術】
【０００２】
複数の燃料電池セルと複数のセパレータとが交互に配置されたセルスタック装置が知られている（例えば特許文献１）。燃料電池セルとセパレータとは、接合材を介して互いに接合されている。
【先行技術文献】
【特許文献】
【０００３】
【特許文献１】特許５２８０１７３号公報
【発明の概要】
【発明が解決しようとする課題】
【０００４】
燃料電池セルとセパレータとは、接合材によって確実に電気的に接続されていることが好ましい。そこで、本発明の課題は、接合材による燃料電池セルとセパレータとの接続を安定させることにある。
【課題を解決するための手段】
【０００５】
本発明のある側面に係るセルスタック装置は、燃料電池セルと、第１セパレータと、第１接合材と、を備えている。燃料電池セルは、固体電解質、及び、固体電解質の一方面に設けられた空気極を含む。第１セパレータは、空気極に向けて突出する複数の突出部を含む。第１接合材は、導電性を有する材料である。第１接合材は、空気極及び第１突出部を接合する。外周部に位置する第１接合材の厚さは、中央部に位置する第１接合材の厚さよりも大きい。
【０００６】
この構成によれば、セルスタック装置の動作中に発生する温度分布による熱応力、燃料電池セルの変形による局所的な応力等が発生しても、外周部の第１接合材の厚さが大きいことで、外周部では空気極と第１接合材との電気的接続が確実に維持される。したがって、第１接合材による燃料電池セルと第１セパレータとの接続を安定させることができる。
【０００７】
好ましくは、燃料電池セルは、固体電解質の他方面に設けられた燃料極をさらに含み、燃料極に向けて突出する複数の第２突出部を含む第２セパレータと、燃料極及び複数の第２突出部を接合する導電性の第２接合材と、をさらに備えている。中央部に位置する第２接合材の厚さは、外周部に位置する第２接合材の厚さよりも大きい。
【０００８】
この構成によれば、固体電解質の一方面側に設けられた空気極においては、外周部の電気的接続が維持され、固体電解質の他方面側に設けられた燃料極においては、中央部の電気的接続が維持される。このため、燃料電池セルとセパレータとの接続をより安定させることができる。
【０００９】
本発明の別の側面に係るセルスタック装置は、燃料電池セルと、第２セパレータと、第２接合材と、を備えている。燃料電池セルは、固体電解質、及び、固体電解質の他方面に設けられた燃料極を含む。第２セパレータは、燃料極に向けて突出する複数の突出部を含む。第２接合材は、導電性を有する材料である。第２接合材は、燃料極及び第２突出部を接合する。中央部に位置する第２接合材の厚さは、外周部に位置する第２接合材の厚さよりも大きい。
【００１０】
この構成によれば、セルスタック装置の動作中に発生する温度分布による熱応力、燃料電池セルの変形による局所的な応力等が発生しても、中央部の第２接合材の厚さが大きいことで、中央部では燃料極と第２接合材との電気的接続が確実に維持される。したがって、第２接合材による燃料電池セルと第２セパレータとの接続を安定させることができる。
【００１１】
好ましくは、第１及び第２接合材の少なくとも一方は、導電性セラミックスによって構成される。第１接合材の厚さと、第２接合材の厚さとは異なっていてもよい。
【発明の効果】
【００１２】
本発明によれば、接合材による燃料電池セルとセパレータとの接続を安定させることができる。
【図面の簡単な説明】
【００１３】
【図１】セルスタック装置の斜視図。
【図２】セルスタック装置の断面図。
【図３】セルスタックの拡大断面図。
【図４】接合部の詳細を示す拡大断面図。
【図５】変形例の接合部を示す拡大断面図。
【発明を実施するための形態】
【００１４】
以下、本発明に係るセルスタック装置の実施形態について図面を参照しつつ説明する。
【００１５】
図１及び図２に示すように、セルスタック装置１００は、複数の燃料電池セル１、及び複数のセパレータ２を備えている。セルスタック装置１００は、燃料電池セル１とセパレータ２とが交互に積層された構造を有している。すなわち、セルスタック装置１００は、いわゆる平板型のセルスタック構造である。
【００１６】
［燃料電池セル］
図３に示すように、燃料電池セル１は、固体電解質１１と、燃料極１２と、空気極１３とを有している。燃料電池セル１は、平面視（ｚ軸方向視）において、矩形状である。なお、燃料電池セル１は、固体酸化物形燃料電池として構成されている。
【００１７】
固体電解質１１は、平板状であり、主面が積層方向（ｚ軸方向）を向いている。空気極１３は、固体電解質１１の一方の面に配置されている。燃料極１２は、固体電解質１１の他方の面に配置されている。すなわち、固体電解質１１は、燃料極１２と空気極１３とによって挟まれている。なお、本実施形態では、固体電解質１１の上面に燃料極１２が配置され、固体電解質１１の下面に空気極１３が配置されている。
【００１８】
燃料電池セル１の厚さ（ｚ軸方向の寸法）は全体に渡って実質的に均一である。例えば、燃料電池セル１の厚さは、１１０〜２１００μｍ程度である。本実施形態では、燃料極１２は、固体電解質１１及び空気極１３の各々よりも厚く構成されている。このため、燃料極１２は、固体電解質１１及び空気極１３を支持するように構成されている。
【００１９】
具体的には、燃料極１２の厚さは５０〜２０００μｍとすることができ、固体電解質１１の厚さは１〜５０μｍとすることができ、空気極１３の厚さは５０〜２００μｍとすることができる。
【００２０】
固体電解質１１は、例えば、ＹＳＺを含む緻密質材料で構成される。燃料極１２は、例えば、ＮｉとＹＳＺとを含む多孔質材料で構成される。空気極１３は、例えば、ＬＳＭ（Ｌａ（Ｓｒ）ＭｎＯ３：ランタンストロンチウムマンガナイト）を含む多孔質材料で構成される。燃料極１２の気孔率は１５〜５５％程度とすることができ、固体電解質１１の気孔率は０〜１０％程度とすることができ、空気極１３の気孔率は１５〜５５％程度とすることができる。燃料極１２の熱膨張率は、１１〜１３ｐｐｍ/Ｋとすることができ、固体電解質１１の熱膨張率は、９〜１１ｐｐｍ/Ｋであり、空気極１３の熱膨張率は１１〜１７ｐｐｍ/Ｋである。
【００２１】
［セパレータ］
図２及び図３に示すように、セパレータ２は、燃料電池セル１と対向するように配置されている。１つの燃料電池セル１を中心に見て、セル１の一方面に設けられたセパレータを第１セパレータと称し、燃料電池セル１の他方面に設けられたセパレータを第２セパレータと称する。第１セパレータ２は、平板部２１と、一対の枠体部２２と、第１突出部２３と、を有している。平板部２１と一対の枠体部２２とは、１つの部材によって構成されている。なお、平板部２１と一対の枠体部２２とは、別の部材によって構成されてもよい。平面視（ｚ軸方向視）において、第１セパレータ２の形状は、燃料電池セル１の形状と実質的に同じである。なお、セルスタック装置１００の上端部に配置される上端部セパレータ２ａ及び下端部に配置される下端部セパレータ２ｂは、一対ではなく１つの枠体部２２を有している。
【００２２】
枠体部２２は、平板部２１の周縁部の全周に亘って配置されている。枠体部２２は、環状に構成されている。枠体部２２は、平板部２１の両面のそれぞれから積層方向（ｚ軸方向）に突出するように構成されている。すなわち、各枠体部２２は、隣接する燃料電池セル１に向かって突出している。本実施形態では、各枠体部２２は、上方または下方に突出している。
【００２３】
なお、セルスタック装置１００の上端部に位置する上端部セパレータ２ａは、下方に突出する枠体部２２を有するが、上方に突出する枠体部は有していない。一方、セルスタック装置１００の下端部に位置する下端部セパレータ２ｂは、上方に突出する枠体部２２を有し、下方に突出する枠体部を有していない。
【００２４】
第１セパレータ２の枠体部２２は、セル１の周縁部を押さえている。例えば、第１セパレータ２の枠体部２２とセル１とは、第３接合材５（ガラス材料等）などによって接合されている。
【００２５】
第１突出部２３ａは、平板部２１から空気極１３に向けて突出する。第１突出部２３ａは、燃料電池セル１と平板部２１とを電気的に接続するように構成されている。第１突出部２３ａと平板部２１とは、１つの部材によって構成されている。なお、第１突出部２３ａと平板部２１とは、別の部材によって構成されてもよい。
【００２６】
平板部２１、枠体部２２及び第１突出部２３ａによって、ガス流路２４が画定されている。このガス流路２４の深さｄは、例えば、０．１〜５ｍｍ程度である。ガス流路２４は、燃料電池セル１と面している。燃料電池セル１の空気極１３に面するガス流路２４は、燃料ガスが供給される。
【００２７】
第１突出部２３ａは、複数配置されている。各突出部２３ａは、互いに間隔をあけて配置されている。例えば、各突出部２３ａは、ｘ軸方向に間隔をあけて配置され、ｙ軸方向に延びている。
【００２８】
図４に示すように、第１突出部２３ａの厚さｔ１は、例えば、１．０〜５．０ｍｍ程度とすることが好ましい。なお、第１突出部２３ａの厚さｔ１とは、積層方向（ｚ軸方向）における第１突出部２３ａの寸法を言う。
【００２９】
セパレータ２は、Ｎｉ系耐熱合金（例えば、フェライト系ＳＵＳ、インコネル６００及びハステロイ等）で構成されている。セパレータ２の熱膨張率は、例えば１１〜１４ｐｐｍ/Ｋ程度とすることができる。
【００３０】
第２セパレータは、燃料極１２に向けて突出する第２突出部２３ｂを含む。第２セパレータは、第１セパレータと同様の構成なので、説明を省略する。
【００３１】
［接合材］
セルスタック装置１００は、燃料電池セル１とセパレータ２とを接合する接合材をさらに備えている。接合材は、第１接合材４ａと第２接合材４ｂとを含む。第１接合材４ａは、空気極１３と第１突出部２３ａとを接合している。第２接合材４ｂは、燃料極１２と第２突出部２３ｂとを接合している。第１接合材４ａ及び第２接合材４ｂは、複数配置されている。例えば、各接合材４ａ、４ｂは、ｘ軸方向に間隔をあけて配置されている。
【００３２】
図３に示すように、燃料電池セル１の外周部に位置する第１接合材４ａ１の厚さｔ２は、燃料電池セル１の中央部に位置する第１接合材４ａ２の厚さｔ２よりも大きい。各第１接合材４ａの厚さｔ２は、中央から外周端縁に向けて徐々に大きくなることが好ましい。
【００３３】
外周部の第１接合材４ａ１の厚さｔ２は、例えば、０．１〜０．５ｍｍ程度とすることが好ましい。中央部の第１接合材４ａ２の厚さｔ２は、例えば、０．０５〜０．３ｍｍ程度とすることが好ましい。外周部の第１接合材４ａ１厚さに対する、中央部の第１接合材４ａ２の厚さの割合は、例えば、０．３〜０．９程度とすることが好ましい。
【００３４】
中央部に位置する第２接合材４ｂ２の厚さｔ４は、外周部に位置する第２接合材４ｂ１の厚さｔ４よりも大きい。各第２接合材４ｂの厚さｔ４は、外周端縁から中央に向けて徐々に大きくなることが好ましい。
【００３５】
外周部の第２接合材４ｂ１の厚さｔ４は、例えば、０．０５〜０．３ｍｍ程度とすることが好ましい。中央部の第２接合材４ｂ２の厚さｔ４は、例えば、０．１〜０．５ｍｍ程度とすることが好ましい。中央部の第２接合材４ｂ２の厚さに対する、外周部の第２接合材４ｂ１の厚さの割合は、例えば、０．３〜０．９程度とすることが好ましい。
【００３６】
なお、外周部に位置する接合材４ａ１、４ｂ１とは、１つの層において、燃料電池セルの延びる方向（ｘ軸方向）における外周端縁に最も近い位置の接合材を言う。中央部に位置する接合材４ａ２、４ｂ２とは、１つの層において、燃料電池セルの延びる方向（ｘ軸方向）における中央に最も近い位置の接合材を言う。
【００３７】
第１接合材４ａの厚さｔ２と第２接合材４ｂの厚さｔ４とは、同じであっても、異なっていてもよい。ここで、第１接合材４ａの厚さｔ２、及び第２接合材４ｂの厚さｔ４とは、積層方向（ｚ軸方向）における各接合材４ａ、４ｂの寸法を言う。具体的には、各接合材４ａ、４ｂを通り、積層方向に延びる鉛直面でセルスタック装置を切断した断面において観察される各接合材４ａ、４ｂにおいて、外周部の接合材４ａ１、４ｂ１の厚さの平均値と、中央部の接合材４ａ２、４ｂ２の厚さの平均値とを求める。なお、各接合材４ａ、４ｂのうち、第１及び第２突出部２３ａ、２３ｂから外方にはみ出した部分の各接合材４ａ、４ｂの厚さは考慮しない。また、接合不良または未接合の各接合材４ａ、４ｂの厚さは、平均値の算出の際に考慮しない。
【００３８】
第１接合材４ａは、第１突出部２３ａの燃料電池セル１側を向く面の全体と接触している。第１接合材４ａと第１突出部２３ａとの接合面積、及び第２突出部２３ｂと第２接合材４ｂとの接合面積は、１〜５０ｍｍ２程度とすることが好ましい。なお、突出部２３ａ、２３ｂが複数の部材で構成される場合、各突出部２３ａ、２３ｂと各接合材４ａ、４ｂとのそれぞれの接合面積を上述した範囲内とすることが好ましいが、一部において範囲外であってもよい。
【００３９】
第１接合材４ａ及び第２接合材４ｂは、導電性を有する材料であり、（Ｍｎ，Ｃｏ）３Ｏ４系の導電性セラミックス、または貴金属によって構成される。具体的には、第１接合材４ａ及び第２接合材４ｂは、（Ｍｎ，Ｃｏ）３Ｏ４、（Ｌａ、Ｓｒ）（Ｃｏ，Ｆｅ）Ｏ３、Ｐｔ、及びＡｇ等よりなる群から選ばれる少なくとも１種によって構成される。燃料極１２と接合される第１接合材４ａは、Ｎｉを含む材料によって構成されることが好ましい。空気極１３と接合される第２接合材４ｂは、導電性セラミックスによって構成されることが好ましい。
【００４０】
以上のように構成されたセルスタック装置１００は、次のようにして発電する。燃料極１２に面するガス流路２４に燃料ガス（水素ガス等）を流すとともに、空気極１３に面するガス流路２４に空気を流す。そして、このセルスタック装置１００を外部の負荷に接続すると、空気極１３において下記（１）式に示す電気化学反応が起こり、燃料極１２において下記（２）式に示す電気化学反応が起こり、電流が流れる。
（１／２）・Ｏ２＋２ｅ−→Ｏ２−      …（１）
Ｈ２＋Ｏ２−→Ｈ２Ｏ＋２ｅ−          …（２）
【００４１】
（製造方法）
次に、上述したように構成されたセルスタック装置１００の製造方法について説明する。先ず、燃料電池セル１は、燃料極１２のグリーンシートを形成する。次に、このグリーンシート上に固体電解質用ペーストをスクリーン印刷などによって塗布し、これを焼成して、焼成体を形成する。そして、この焼成体上に空気極用ペーストをスクリーン印刷などによって塗布して焼成する。この結果、燃料電池セル１が形成される。
【００４２】
セパレータ２は、例えば、Ｆｅ−Ｃｒ系耐熱合金、Ｎｉ系耐熱合金の薄板に対して、切削加工、及びプレス加工等を施すことによって形成される。
【００４３】
次に、完成した燃料電池セル１とセパレータ２とを交互に積層する。なお、セパレータ２の第１突出部２３ａにおいて、空気極１３を向く面に第１接合材４ａを塗布し、セパレータ２の第２突出部２３ｂにおいて、燃料極１２を向く面には第２接合材４ｂを塗布する。この工程において、中央部の厚さが小さく、かつ、外周部の厚さが大きくなるように、各第１接合材４ａを塗布する。また、中央部の厚さが大きく、かつ、外周部の厚さが小さくなるように、各第２接合材４ｂを塗布する。
【００４４】
この積層体に対して熱処理が施される。例えば、熱処理温度は８００〜１１００℃とすることができ、熱処理時間は１〜１０時間とすることができる。この結果、各接合材が固化することによってこの積層体が一体化されて、図１に示すようなセルスタック装置１００が完成する。
【００４５】
［変形例］
以上、本発明の実施形態について説明したが、本発明はこれらに限定されるものではなく、本発明の趣旨を逸脱しない限りにおいて種々の変更が可能である。例えば、上記実施形態では、各ガス流路２４内に６つの第１及び第２突出部２３ａ、２３ｂが配置されているが、各ガス流路２４内に２つの突出部２３ａ、２３ｂのみが配置されていてもよい。また、上記実施形態では、各ガス流路２４内の複数の第１及び第２突出部２３ａ、２３ｂは、ｘ軸方向及びｙ軸方向に配列されているが、ｘ軸方向又はｙ軸方向にのみ配列されていてもよい。
【００４６】
また、第１突出部２３ａが燃料極１２に向けて突出し、第２突出部２３ｂが空気極１３に向けて突出してもよい。
【００４７】
また、第１突出部２３ａ及び第２突出部２３ｂは、積層された複数の部材によって構成されてもよい。例えば、図５に示すように、第２突出部２３ｂは、集電部材２３１と、第４接合材２３２とによって構成されていてもよい。
【符号の説明】
【００４８】
１    燃料電池セル
２    セパレータ
４ａ    第１接合材
４ｂ    第２接合材
１００    セルスタック装置
【図１】
2019212507.tif 000003
【図２】
2019212507.tif 000004
【図３】
2019212507.tif 000005
【図４】
2019212507.tif 000006
【図５】
2019212507.tif 000007
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
固体電解質、及び、前記固体電解質の一方面に設けられた空気極を含む燃料電池セルと、
前記空気極に向けて突出する複数の第１突出部を含む第１セパレータと、
前記空気極及び前記複数の第１突出部のそれぞれを接合する導電性の複数の第１接合材と、
を備え、
外周部に位置する前記第１接合材の厚さは、中央部に位置する前記第１接合材の厚さよりも大きく、
各前記第１接合材は、間隔をあけて配置されている、
セルスタック装置。
【請求項２】
前記燃料電池セルは、前記固体電解質の他方面に設けられた燃料極をさらに含み、
前記燃料極に向けて突出する複数の第２突出部を含む第２セパレータと、
前記燃料極及び前記複数の第２突出部を接合する導電性の第２接合材と、
をさらに備え、
中央部に位置する前記第２接合材の厚さは、外周部に位置する前記第２接合材の厚さよりも大きい、請求項１に記載のセルスタック装置。
【請求項３】
前記第１及び第２接合材の少なくとも一方は、導電性セラミックスによって構成される、
請求項２に記載のセルスタック装置。
【請求項４】
固体電解質、及び、前記固体電解質の他方面に設けられた燃料極を含む燃料電池セルと、
前記燃料極に向けて突出する複数の第２突出部を含む第２セパレータと、
前記燃料極及び前記複数の第２突出部のそれぞれを接合する導電性の複数の第２接合材と、
を備え、
中央部に位置する前記第２接合材の厚さは、外周部に位置する前記第２接合材の厚さよりも大きく、
各前記第２接合材は、間隔をあけて配置されている、
セルスタック装置。